(57)【要約】【課題】定期洗浄のランニングコストを低減できる高層住宅の排水管の洗浄方法を提供すること。【解決手段】本発明の洗浄方法では、排水管１の洗浄用の立て管２０が高層住宅Ｂに配管される。立て管２０には、洗浄水Ｗを立て管２０内に取入可能に、洗浄水Ｗを供給可能なポンプ車１６と接続可能な取入口２５と、洗浄水Ｗを噴射可能な洗浄ノズル３７を先端に設けた洗浄ホース３８と接続可能な取出口２９とが、配設される。洗浄時には、取入口２５にポンプ車１６を接続させて、ポンプ車１６から加圧状態の洗浄水Ｗを立て管２０内に充填させるとともに、洗浄階の取出口２９にホース３８を接続させて、ホース３８を接続させた取出口２９だけを開口させ、かつ、他の取出口２９を閉じて、開口された取出口２９とホース３８とを経てノズル３７から噴射される洗浄水Ｗにより、排水管１を洗浄する。【選択図】図６
2006249918.tif 000002
【特許請求の範囲】
【請求項１】
高層住宅に配管されている排水管を洗浄する高層住宅の排水管の洗浄方法であって、
前記排水管の洗浄用の立て管が、前記高層住宅の下層階から上層階まで延びるように配管され、
前記洗浄用立て管の下端側に、洗浄水を前記洗浄用立て管内に取入可能に、洗浄水を供給可能なポンプ車と接続可能な取入口が、配設され、
前記洗浄用立て管における前記高層住宅の複数の階に、洗浄水を噴射可能な洗浄ノズルを先端に設けた洗浄ホースと接続可能として、開閉操作可能な取出口が、配設され、
前記取入口に前記ポンプ車を接続させて、前記ポンプ車から加圧状態の洗浄水を前記洗浄用立て管内に充填させるとともに、排水管を洗浄する洗浄階の前記取出口に、若しくは、その洗浄階近傍の階の前記取出口に、前記洗浄ホースを接続させて、前記洗浄ホースを接続させた前記取出口だけを開口させ、かつ、他の前記取出口を閉じて、開口された前記取出口と前記洗浄ホースとを経て前記洗浄ノズルから噴射される洗浄水により、前記排水管を洗浄することを特徴とする高層住宅の排水管の洗浄方法。
【請求項２】
前記取出口が、前記高層住宅の各階に配設されていることを特徴とする請求項１に記載の高層住宅の排水管の洗浄方法。
【請求項３】
前記洗浄用立て管における前記取出口間に、前記洗浄水の上層階への供給を停止可能な開閉弁が、配設されていることを特徴とする請求項１若しくは請求項２に記載の高層住宅の排水管の洗浄方法。
【請求項４】
前記取出口を開閉操作する弁機構が、電磁弁から構成されていることを特徴とする請求項１乃至請求項３のいずれか１項に記載の高層住宅の排水管の洗浄方法。
【請求項５】
前記取入口が、前記高層住宅の下層階における相互に離れた位置の複数箇所に、配設されていることを特徴とする請求項１乃至請求項４のいずれか１項に記載の高層住宅の排水管の洗浄方法。
【発明の詳細な説明】
【技術分野】
【０００１】
本発明は、高層住宅の排水管の洗浄方法に関する。
【背景技術】
【０００２】
従来、集合住宅の排水管洗浄は高圧洗浄方式が一般的であった。中層程度の集合住宅の場合、図１に示すように、進行方向の後方側へ洗浄水Ｗを噴射する後方噴射方式の洗浄ノズル５を洗浄ホース６の先端に取り付け、洗浄ホース６を高圧の洗浄水Ｗを供給可能なポンプ車７に接続させて、洗浄ノズル５自体から噴射する洗浄水Ｗを自己推進力に利用して、洗浄ノズル５を洗浄ホース６とともに侵入させて、排水桝から横主管を洗浄した後、上昇させ、下層階から上層階へ洗浄していた。しかし、図１に示すような後方噴射方式の洗浄には、次の弱点がある。
【０００３】
（１）洗浄ノズル５の自己推進力を確保するため、高層になればなる程、高い吐出圧力が要求される。そのため、洗浄中の管内圧力変動が大きく、トラップ封水の吸引や跳ね出しが発生する。
【０００４】
（２）自己推進力を高めるため、洗浄水Ｗの噴射方向（角度）θがより鉛直に近くなり、管内壁への噴射圧力が減圧される。
【０００５】
（３）高圧になればなるほど洗浄ホース６の支持や養生等の工事上の危険度が高まる。
【０００６】
（４）一般的なポンプ車７が確保できる圧力が最大３０ＭＰａ程度であって、その圧力では１２〜１３階程度までの洗浄が限度となる。
【０００７】
（５）排水立て管２の洗浄時に洗浄ノズル５が排水横枝管３に入るおそれがある。
【０００８】
（６）内周面に排水に旋回流を与えるガイドを持った排水用特殊継手が採用されている場合には、洗浄ノズル５が通過しにくい。
【０００９】
以上のことを勘案し、超高層住宅においては前方噴射方式（図２参照）による洗浄が前提となっていた（特許文献１参照）。
【００１０】
この前方噴射方式の代表例としてステーション方式（図２〜４参照）と引き回し方式（後述する図９のＡ・図１０のＡ参照）がある。ステーション方式では、例えば、高層住宅Ｂの最下階から４層ごとにエレベータ近傍に、給水栓１３と排水口１４とを設けておくとともに、電動ポンプ１１（吐出量２０〜３０（リットル／ｍｉｎ）程度、吐出圧力０．８〜１０（ＭＰａ）程度）を使用するものである（図２〜４参照）。
【００１１】
この方式では、排水立て管２を洗浄するには４層ごとに掃除口継手を設置するか、掃除口の付いた排水用特殊継手を採用する。そして、前方噴射方式として、掃除口４から洗浄ノズル９を４層分下へ降ろし、引き上げながら立て管２を洗浄する。そして、住戸専有部の排水横枝管３は、住戸に立ち入って器具から後方噴射方式で洗浄する。
【００１２】
なお、電動ポンプ１１の設置階（ステーション階）から下層４層分の住戸横枝管３は、洗浄ホース１０を延長して洗浄する。ちなみに、排水ヘツダーが共用部に設置されたＳＩ住宅であれば、住戸に立ち入らずに清掃は可能となる（洗浄後の封水補給は必要）。
【特許文献１】特開２００４−２８５８１４号公報
【発明の開示】
【発明が解決しようとする課題】
【００１３】
上記のようなステーション方式では、電動ポンプ１１を移動させて所定の４層ごとに設置し直しながら洗浄することから、５０階等の超々高層住宅においても実施可能となる。しかし、電動ポンプ１１の移動が大変であり、また、下層階への洗浄ホース１０の引き回しが大変となる場合もあり、定期洗浄のランニングコストがかかっていた。
【００１４】
本発明は、上述の課題を解決するものであり、定期洗浄のランニングコストを低減できる高層住宅の排水管の洗浄方法を提供することを目的とする。
【課題を解決するための手段】
【００１５】
本発明に係る高層住宅の排水管の洗浄方法は、高層住宅に配管されている排水管を洗浄する高層住宅の排水管の洗浄方法であって、
排水管の洗浄用の立て管が、高層住宅の下層階から上層階まで延びるように配管され、
洗浄用立て管の下端側に、洗浄水を洗浄用立て管内に取入可能に、洗浄水を供給可能なポンプ車と接続可能な取入口が、配設され、
洗浄用立て管における高層住宅の複数の階に、洗浄水を噴射可能な洗浄ノズルを先端に設けた洗浄ホースと接続可能として、開閉操作可能な取出口が、配設され、
取入口にポンプ車を接続させて、ポンプ車から加圧状態の洗浄水を洗浄用立て管内に充填させるとともに、排水管を洗浄する洗浄階の取出口に、若しくは、その洗浄階近傍の階の取出口に、洗浄ホースを接続させて、洗浄ホースを接続させた取出口だけを開口させ、かつ、他の取出口を閉じて、開口された取出口と洗浄ホースとを経て洗浄ノズルから噴射される洗浄水により、排水管を洗浄することを特徴とする。
【００１６】
本発明に係る洗浄方法では、ポンプ車から取入口を経て加圧状態の洗浄水を洗浄用立て管内に充填させておき、排水管を洗浄しようとする洗浄階において、その洗浄階に取出口が配置されていればその取出口に洗浄ホースを接続し、あるいは、その洗浄階に取出口がなければ、その洗浄階近傍の取出口に洗浄ホースを接続する。そして、洗浄ホースを接続させた取出口だけを開口させ、かつ、他の取出口を閉じれば、開口された取出口と洗浄ホースとを経て、洗浄用立て管内に加圧状態で充填されていた洗浄水を洗浄ノズルから噴射させることができて、その洗浄ノズルから噴射される洗浄水により、排水管を洗浄することができる。
【００１７】
すなわち、本発明に係る高層住宅の排水管の洗浄方法では、洗浄水を噴射させるように圧送するための電動ポンプ等を洗浄階まで移動させなくとも、予め、ポンプ車からの洗浄水を洗浄用立て管内に加圧状態で供給しておくだけで、後は、洗浄ノズルを設けた洗浄ホースだけを、所定の洗浄階まで持ち運んで取出口に接続させ、そして、その取出口を開口させれば、洗浄ノズルから洗浄水を噴射させることができて、所定の洗浄階の排水管を洗浄できる。そして、他の階の排水管の洗浄時には、開口させていた取出口を閉じて、洗浄ホースの接続を解除し、つぎの洗浄階の所定の取出口に洗浄ホースを接続させて、その取出口だけを開口させれば、既述と同様に、ポンプ車から洗浄用立て管内に充填されている加圧状態の洗浄水を、洗浄ホースの先端の洗浄ノズルから噴射させて、所定の洗浄階の排水管を洗浄できる。
【００１８】
したがって、本発明に係る高層住宅の排水管の洗浄方法では、洗浄用立て管内にポンプ車からの加圧状態の洗浄水を充填させておいて、所定の洗浄階まで洗浄ホースだけを持ち運んで、所定の取出口に洗浄ホースを接続し、そして、所定の取出口を開口操作するだけで、排水管の定期的な洗浄が簡単に行えて、排水管の定期洗浄のランニングコストを大幅に低減することができる。また、ステーション方式のように、重量のある電動ポンプを移動させたり、あるいは、ポンプ車に対して、直接、洗浄時に高圧のかかる洗浄ホースを接続させて、その洗浄ホースを、長い距離分、引き回すことを防止できることから、本発明に係る洗浄方法では、洗浄時の安全性を向上させることができる。
【００１９】
なお、洗浄用立て管は、洗浄ホースに比べて、耐久性を有したものを使用でき、かつ、超々高層の住宅でも鉛直方向（上下方向）に配設させて、長さを極力短くして配設できることから、超々高層の５０階以上の上層階での洗浄時でも、必要な洗浄水の吐出圧を、容易に確保できる。
【００２０】
また、洗浄用立て管は、既設の高層住宅に、後付けで配設してもよい。
【００２１】
さらに、洗浄階での排水管の洗浄では、排水立て管は、排水立て管に設けた所定の掃除口から洗浄ノズルを後方噴射方式や前方噴射方式によって挿入させて行えばよく、排水立て管が専有部に配設された場合の排水横枝管では、住戸専有部の場合、住戸に立ち入って器具から後方噴射で洗浄する。勿論、排水ヘツダーが共用部に設置されたＳＩ住宅であれば、住戸に立ち入らずに、排水ヘツダーの掃除口から洗浄ノズルを挿入させれば、排水横枝管や排水立て管の洗浄が可能となる（洗浄後の封水補給は必要）。
【００２２】
そして、取出口は、排水立て管の掃除口と同様に、洗浄用立て管における複数階毎（２階〜４階毎、４〜１０階毎等）に、配設してもよいが、各階に設ければ、洗浄ホースは、各階での洗浄に必要な長さ分だけの短い長さでよいことから、洗浄する階を移動する場合に、持ち運びが便利となる。
【００２３】
そして、洗浄用立て管における取出口間には、洗浄水の上層階への供給を停止可能な開閉弁を、配設させてもよい。このように構成すれば、使用する取出口の上方の開閉弁を閉じておけば、洗浄用立て管における開閉弁より上方に洗浄水を供給しないことから、洗浄水の節約ができ、また、洗浄水の充填や排水に工数がかからず、かつ、上層階の開閉弁のチェックも不要となることから、洗浄作業の工数を、低減することができる。
【００２４】
また、取出口を開閉操作する弁機構を、電磁弁から構成すれば、３０階程度の超高層や５０階以上等の超々高層の住宅における各階に取出口を配設する際、各階の弁機構の開閉の状態を電気的に把握し易く、洗浄ホースを接続させる取出口以外の取出口の閉弁状態を、容易かつ確実に把握できて、閉じ忘れによる不必要な取出口からの洗浄水の漏れを防止できる。
【００２５】
さらに、取入口は、高層住宅の下層階における相互に離れた位置の複数箇所に配設することが望ましい。このような構成であると、所定の取入口のポンプ車との接続が、駐車車両等に邪魔される事態となっても、他の取入口にポンプ車を接続させることができて、円滑に洗浄作業を行うことができる。
【発明を実施するための最良の形態】
【００２６】
以下、本発明の一実施形態を図面に基づいて説明すると、図５〜７に示すように、実施形態の高層住宅Ｂの排水管１の洗浄方法では、高層住宅Ｂには、排水管１の立て管２と同様に、排水管１の洗浄用の立て管２０が、高層住宅Ｂの最下階から屋上階まで延びるように配管されている。
【００２７】
洗浄用立て管２０は、呼び径１３Ａ程度のライニング鋼管やステンレス鋼管が使用されて、洗浄水Ｗを３０ＭＰａ程度の圧力で供給可能な強度を確保できるように構成されている。洗浄用立て管２０の最下端には、洗浄水Ｗを供給するポンプ車１６から延びた供給ホース１７を接続させるための取入口２５が、配設されている。さらに、実施形態の場合には、洗浄水Ｗを取り出し可能に、各階に取出口２９が配設されている。洗浄用立て管２０の上端には、開閉弁３１ａを設けてなる空気抜き口３１が開口されている。実施形態の場合、取入口２５付近には、洗浄作業終了後の洗浄用立て管２内の洗浄水Ｗを排水する排水口２６と、開閉弁２７ａを設けてなるドレン用口２７とが配設されている。
【００２８】
実施形態の場合、取入口２５、排水口２６、及び、取出口２９は、洗浄用立て管２０にチーズ配管２１を介在させて、そのチーズ配管２１の横枝管２１ａに開閉弁２２を設けて、構成されている。さらに、これらの取入口２５、排水口２６、及び、取出口２９には、開口端から異物が侵入しないように、プラグタイプ（ねじ込み式）等の蓋体３０が設けられている。さらに、実施形態の場合、取出口２９の開閉弁２２の弁機構には、電磁弁２３が使用されており、全ての電磁弁２３が、所定の管理室等に設けられた制御装置Ｃと電気的に接続されており、この制御装置Ｃにおいて、電磁弁２３の開閉の状態が把握できて、かつ、開閉の操作が行えるように、構成されている。勿論、各電磁弁２３は、設置箇所においても、直接、手動操作により開閉できるように構成されている。
【００２９】
また、実施形態の場合、所定階層毎の上下の取出口２９間の洗浄用立て管２０の部位には、洗浄水Ｗの上層階への供給を停止可能な開閉弁（閉止弁）３３が、配設されている。開閉弁３３の下方近傍には、開閉弁３５ａを備えてなる空気抜き口３５が配設されている。
【００３０】
なお、実施形態では、図８に示すように、取入口２５が、排水口２６等とともに、高層住宅Ｂの最下層での相互に離れたコーナ部の４箇所に、配設されている。
【００３１】
実施形態の洗浄方法について説明すると、まず、所定の取入口２５の近傍位置にポンプ車１６を停車させて、ポンプ車１６から延びる供給ホース１７を取入口２５に接続させる。そして、例えば、洗浄階ＳＡが屋上階の近傍であれば（図６参照）、排水口２６や全ての取出口２９の開閉弁２２、ドレン用口２７の開閉弁２７ａ、及び、空気抜き口３５の開閉弁３５ａの閉弁状態を確認し、かつ、開閉弁３３と空気抜き口３１の開弁状態を確認して、取入口２５の開閉弁２２を開口させて、ポンプ車１６から洗浄水Ｗを洗浄用立て管２０内に充填する。なお、この時は、単に、最上階の空気抜き口３１付近まで洗浄水Ｗを充填させるだけでよいことから、洗浄ノズル３７から洗浄水Ｗを噴射させる場合より、低圧でよく、５ＭＰａ程度の加圧状態で、洗浄水Ｗを洗浄用立て管２０内に充填する。
【００３２】
洗浄水Ｗを洗浄用立て管２０内に充填したならば、空気抜き口３１の開閉弁３１ａを閉じて、ポンプ車１６を作動させて洗浄用立て管２０内に洗浄水Ｗを送給して、洗浄用立て管２０内の洗浄水Ｗを１５〜３０ＭＰａ程度（実施形態では２５ＭＰａ）に加圧しておく。また、排水管１を洗浄しようとする洗浄階ＳＡにおいて、図７のＡに示すように、その洗浄階ＳＡの取出口２９Ａに洗浄ホース３８を接続して、洗浄階ＳＡの排水用立て管２に設けた掃除口４を開口させて、掃除口４から洗浄ノズル３７付近を排水用立て管２内に入れておく。そして、洗浄ホース３８を接続させた取出口２９Ａ以外の取出口２９の開閉弁２２を閉じた状態としておいて、洗浄ホース３８を接続させた取出口２９Ａだけの開閉弁２２を開弁させる。すると、開口された取出口２９Ａと洗浄ホース３８とを経て、洗浄用立て管２０内に加圧状態で充填されていた洗浄水Ｗが洗浄ノズル３７から噴射されることから、その洗浄ノズル３７から噴射される洗浄水Ｗにより、排水立て管２を洗浄することができる。
【００３３】
なお、洗浄時には、洗浄水Ｗの供給のためにポンプ車１６を作動させて、洗浄水Ｗを供給し続けることが望ましいが、洗浄用立て管２０内に充填された洗浄水Ｗの容量が多く、洗浄時における洗浄水Ｗの吐出圧が、洗浄不能となる程、低下しなければ、適宜、ポンプ車１６の作動を停止しておいてもよい。
【００３４】
また、使用する洗浄ノズル３７は、予め、洗浄予定範囲まで降下させた後、引き上げつつ洗浄作業を行う前方噴射ノズル９を使用する前方噴射方式、あるいは、洗浄予定範囲まで上昇させつつ洗浄作業を行う後方噴射ノズル５を使用する後方噴射方式、を適宜採用すればよい。
【００３５】
さらに、排水横枝管３を洗浄する場合では、住戸専有部の場合、図７のＢに示すように、住戸に立ち入って器具から後方噴射方式で洗浄する。勿論、図７のＣに示すように、排水ヘツダー１ａが共用部に設置されたＳＩ住宅であれば、住戸に立ち入らずに、排水ヘツダー１ａの掃除口から洗浄ノズル５を挿入させれば、排水横枝管３や排水立て管２の洗浄が可能となる。
【００３６】
すなわち、実施形態の高層住宅Ｂの排水管１の洗浄方法では、洗浄水Ｗを噴射させるように圧送するための電動ポンプ１１等を洗浄階ＳＡまで移動させなくとも、予め、ポンプ車１６からの洗浄水Ｗを洗浄用立て管２０内に加圧状態で供給しておくだけで、後は、洗浄ノズル３７（５・９）を設けた洗浄ホース３８だけを、所定の洗浄階ＳＡまで持ち運んで取出口２９Ａに接続させ、そして、その取出口２９Ａを開口させれば、洗浄ノズル３７から洗浄水Ｗが噴射して、所定の洗浄階ＳＡの排水管１を洗浄できる。そして、他の階の排水管１の洗浄時には、開口させていた取出口２９Ａを閉じて、洗浄ホース３８の接続を解除し、つぎの洗浄階の所定の取出口２９に洗浄ホース３８を接続させて、その取出口２９だけを開口させれば、既述と同様に、ポンプ車１６から洗浄用立て管２０内に充填されている加圧状態の洗浄水Ｗを、洗浄ホース３８の先端の洗浄ノズル３７から噴射させて、所定の洗浄階の排水管１を洗浄できる。
【００３７】
したがって、実施形態の高層住宅Ｂの排水管１の洗浄方法では、洗浄用立て管２０内にポンプ車１６からの加圧状態の洗浄水Ｗを充填させておいて、所定の洗浄階まで洗浄ホース３８だけを持ち運んで、所定の取出口２９に洗浄ホース３８を接続し、そして、所定の取出口２９を開口操作するだけで、排水管１の定期的な洗浄が簡単に行えて、排水管１の定期洗浄のランニングコストを大幅に低減することができる。また、ステーション方式のように、重量のある電動ポンプ１１を移動させたり、あるいは、ポンプ車７に対して、直接、洗浄時に高圧のかかる洗浄ホース６を接続させて、その洗浄ホース６を、長い距離分、引き回すことを防止できることから、実施形態の洗浄方法では、洗浄時の安全性を向上させることができる。
【００３８】
そして、取出口２９は、排水立て管２の掃除口４と同様に、洗浄用立て管２０における複数階毎（２階〜４階毎、４〜１０階毎等）に、配設してもよいが、実施形態のように各階に設ければ、洗浄ホース３８は、各階での洗浄に必要な長さ分だけの短い長さでよいことから、洗浄する階を移動する場合に、持ち運びが便利となる。
【００３９】
また、実施形態では、洗浄用立て管２０における隣接する上下の取出口２９間に、洗浄水Ｗの上層階への供給を停止可能な開閉弁３３が、配設されている。このような構成では、洗浄用立て管２０内に洗浄水Ｗを充填させる際に、使用する取出口２９Ｂの上方の開閉弁３３Ｂを閉じておき（図６参照）、また、その閉じた開閉弁３３Ｂの近傍の空気抜き口３５Ｂの開閉弁３５ａを開いておく。そして、ポンプ車１６からの洗浄水Ｗを、開弁させた空気抜き口３５Ｂ付近まで、５ＭＰａ程度の加圧状態で洗浄用立て管２０内に充填し、その後、空気抜き口３５Ｂの開閉弁３５ａを閉じて、ポンプ車１６を作動させて洗浄用立て管２０内に洗浄水Ｗを送給して、洗浄用立て管２０内の洗浄水Ｗを２５ＭＰａ程度に加圧する。そして、上記と同様に、洗浄階ＳＢの取出口２９Ｂに洗浄ホース３８を接続させて、その取出口２９Ｂだけを開口させて、排水管１を洗浄すればよい。このような構成では、洗浄用立て管２０における閉じた開閉弁３３Ｂより上方に洗浄水Ｗを供給しないことから、洗浄水Ｗの節約ができ、また、洗浄水Ｗの充填や排水に工数がかからず、かつ、上層階の開閉弁２２のチェックも不要となることから、洗浄作業の工数を、低減することができる。
【００４０】
また、実施形態では、取出口２９を開閉操作する開閉弁２２の弁機構が、制御装置Ｃに作動制御される電磁弁２３から構成されている。そのため、３０階程度以上の例えば５０階等の超高層住宅Ｂの各階に取出口２９が配設されていても、制御装置Ｃが、各階の電磁弁２３の開閉の状態を電気的に把握できて、洗浄ホース３８を接続させる取出口２９以外の取出口２９の閉弁状態を、容易かつ確実に把握でき、また、操作できて便利となる。
【００４１】
さらに、実施形態では、取入口２５が、高層住宅Ｂの下層階における相互に離れた位置の４箇所に配設されている。そのため、一方の取入口２５のポンプ車１６との接続が、駐車車両等に邪魔される事態となっても、他の取入口２５にポンプ車１６を接続させることができて、円滑に洗浄作業を行うことができる。
【００４２】
なお、実施形態では、各取出口２９に電磁弁２３からなる開閉弁２２を設けてプラグタイプの蓋体３０で塞ぐものを示した。しかし、図７のＤに示すように、取出口２９と洗浄ホース３８との一方に、弁機構を内蔵させたホースカップリング２４のソケット側接続部２４ａを設け、他方に、ホースカップリング２４のプラグ側接続部２４ｂを設けて、両者の結合時に、自動的に開弁し、両者の離脱時に、自動的に閉弁するように構成して、取出口２９の開閉をホースカップリング２４の接続・接続解除により自動的に行うようにしてもよい。また、取出口２９の開口時に、直ちに、洗浄ノズル３７側に洗浄水Ｗが供給されないように、洗浄ホース３８における取出口２９側の部位に、別途、開閉弁３９を設けてもよい。なお、このような洗浄ホース３８に設ける開閉弁３９は、図７のＡに示すようなホースカップリング２４を利用しない構造の場合にも、配設してもよい。
【００４３】
また、実施形態では、洗浄用立て管２０内に充填する洗浄水Ｗの全てをポンプ車１６から供給する場合を例示したが、高層住宅Ｂの屋上階等に設置されている貯水タンク（給水タンク）からの水を、洗浄水Ｗとして、洗浄用立て管２０内に流入させておき、２５ＭＰａ程度の高圧にして洗浄する際の洗浄水Ｗの供給を、ポンプ車１６によって行うようにしてもよい。このような構成では、貯水タンクの水を排水管１の洗浄時に有効利用できる。
【００４４】
なお、ステーション方式や高圧洗浄車（ポンプ車）７からの洗浄ホース６を引き回す従来の方式（図９のＡと図１０のＡ参照）では、各住戸の居住者が在宅している時に一斉に行うことが原則となる。仮に、不在住戸を後日実施する（未と示してある）こととすれば、一戸だけのために全住戸一斉洗浄と同じ電動ポンプ１１の移動や洗浄ホース６の引き回しが必要となる。しかし、実施形態のような洗浄方法では、洗浄用立て管２０の所定の取出口２９に洗浄ホース３８を接続させるだけで、洗浄ホースの階段等への持ち運びを抑制できて、洗浄ホース３８を長く延長させなくとも、簡便に洗浄作業を行うことができる。
【００４５】
さらに、図１０に示す２戸１階段方式の高層住宅（集合住宅）Ｂにおいても、複数の例えば３つの階段室を備えていても、中央の階段室に、一本の洗浄用立て管２０を配設させておけば、洗浄階の端側へは、洗浄ホース３８を屋外の空中を渡すようにして、洗浄ノズル３７側を到達させることもできて、洗浄ホース３８を長く延長させなくとも、簡便に洗浄作業を行うことができる。すなわち、ポンプ車７に対して、直接、洗浄ホース６を接続させて、洗浄作業を行う場合に比べて、著しく、洗浄ホース３８の引き回しが容易となる。
【００４６】
なお、洗浄階が複数ある場合に、複数の取出口２９に対して、それぞれ、洗浄ホース３８を接続させて、複数階の排水管１を同時に洗浄してもよい。
【００４７】
また、本発明の高層住宅の排水管の洗浄方法は、３０階程度の超高層や５０階を超える超々高層の住宅は勿論のこと、５階程度の低層の集合住宅にも適用可能である。
【図面の簡単な説明】
【００４８】
【図１】従来の洗浄方法を説明する図である。
【図２】従来の他の洗浄方法を説明する図である。
【図３】図２に示す洗浄方法を説明する所定階の概略平面図である。
【図４】図２に示す洗浄方法を説明する概略縦断面図である。
【図５】本発明の一実施形態の洗浄方法を説明する所定階の概略平面図である。
【図６】実施形態の洗浄方法を説明する概略縦断面図である。
【図７】実施形態の洗浄方法の具体的な状態を説明する図である。
【図８】実施形態の洗浄方法を説明する最下階の概略平面図である。
【図９】実施形態の洗浄方法と従来の洗浄方法との洗浄ホースの引き回しの差を説明する図である。
【図１０】住宅を変えた場合の実施形態の洗浄方法と従来の洗浄方法との洗浄ホースの引き回しの差を説明する図である。
【符号の説明】
【００４９】
１…排水管、
２…排水立て管、
３…排水横枝管、
５・９・３７…洗浄ノズル、
６・１０・３８…洗浄ホース、
７・１６…ポンプ車、
２０…洗浄用立て管、
２３…電磁弁、
２５…取入口、
２９…取出口、
３３…開閉弁、
Ｗ…洗浄水、
Ｂ…高層住宅。
【図１】
2006249918.tif 000003
【図２】
2006249918.tif 000004
【図３】
2006249918.tif 000005
【図４】
2006249918.tif 000006
【図５】
2006249918.tif 000007
【図６】
2006249918.tif 000008
【図７】
2006249918.tif 000009
【図８】
2006249918.tif 000010
【図９】
2006249918.tif 000011
【図１０】
2006249918.tif 000012